(57)【要約】      （修正有）【課題】  受注から納入までのリードタイムを短縮できるＩＣカードの発行処理方法とＩＣカード用ＩＣモジュール、ＩＣカードを提供する。【解決手段】  ＣＯＴ（テープ状ＩＣモジュール）段階で行うＩＣカードの発行処理方法であって、（１）ＩＣカードとして実使用するために必要なデータの書き込みやファイルの設定を、ＣＯＴ段階で個々のＩＣモジュールのＩＣチップに対して行う工程と、（２）ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データを生成する工程と、（３）前記モジュール特定ナンバーを、個々のＩＣモジュールのＩＣチップの実使用上は影響のない書き換え可能なメモリエリアに書き込む工程と、を有することを特徴とする。【選択図】  図１
2005165699.tif 000002
【特許請求の範囲】
【請求項１】
ＣＯＴ段階で行うＩＣカードの発行処理方法であって、
（１）ＩＣカードとして実使用するために必要なデータの書き込みやファイルの設定を、ＣＯＴ段階で個々のＩＣモジュールのＩＣチップに対して行う工程と、（２）ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データを生成する工程と、（３）前記モジュール特定ナンバーを、個々のＩＣモジュールのＩＣチップの実使用上は影響のない書き換え可能なメモリエリアに書き込む工程と、を有することを特徴とするＩＣカードの発行処理方法。
【請求項２】
ＣＯＴ段階で行うＩＣカードの発行処理方法であって、
（１）ＩＣカードとして実使用するために必要なデータの書き込みやファイルの設定を、ＣＯＴ段階で個々のＩＣモジュールのＩＣチップに対して行う工程と、（２）ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データを生成する工程と、（３）前記発行識別データを個々のＩＣモジュールのＩＣチップの実使用上は影響のない書き換え可能なメモリエリアに書き込む工程と、を有することを特徴とするＩＣカードの発行処理方法。
【請求項３】
ＣＯＴ段階で行うＩＣカードの発行処理方法であって、
（１）ＩＣカードとして実使用するために必要なデータの書き込みやファイルの設定を、ＣＯＴ段階で個々のＩＣモジュールのＩＣチップに対して行う工程と、（２）ＣＯＴ配列の個々のＩＣチップに対してあらかじめ付与されているユニーク番号との関係で、当該モジュールの検査・発行結果と、発行データファイル名と、発行データファイル内の序列と、が関連付けられた発行識別データを生成する工程と、を有することを特徴とするＩＣカードの発行処理方法。
【請求項４】
ＣＯＴ段階で行うＩＣカードの発行処理方法であって、
（１）ＩＣカードとして実使用するために必要なデータの書き込みやファイルの設定を、ＣＯＴ段階で個々のＩＣモジュールのＩＣチップに対して行う工程と、（２）ＣＯＴ配列の個々のＩＣチップに対してあらかじめ付与されているユニーク番号との関係で、当該モジュールの検査・発行結果と、発行データファイル名と、発行データファイル内の序列と、が関連付けられた発行識別データを生成する工程と、（３）前記発行識別データを個々のＩＣモジュールのＩＣチップの実使用上は影響のない書き換え可能なメモリエリアに書き込む工程と、を有することを特徴とするＩＣカードの発行処理方法。
【請求項５】
前記発行データファイルに基づいて、ＩＣモジュール実装後のＩＣカードに対して、文字エンボス、磁気エンコード、顔写真印刷、のいずれかを行うことを特徴とする請求項１ないし請求項４のいずれか１の請求項に記載のＩＣカードの発行処理方法。
【請求項６】
ＣＯＴ段階で電子的発行処理がされたＩＣカード用ＩＣモジュールであって、個々のＩＣモジュールのＩＣチップの実使用上は影響のない書き換え可能なメモリエリアには、ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データが、書き込まれている、ことを特徴とするＩＣカード用ＩＣモジュール。
【請求項７】
ＣＯＴ段階で電子的発行処理がされたＩＣカード用ＩＣモジュールであって、個々のＩＣモジュールのＩＣチップの実使用上は影響のない書き換え可能なメモリエリアには、ＣＯＴ配列の個々のモジュールに対してあらかじめ付与されているユニーク番号との関係で、当該モジュールの検査・発行結果と、発行データファイル名と、発行データファイル内の序列と、が関連付けられた発行識別データが、書き込まれている、ことを特徴とするＩＣカード用ＩＣモジュール。
【請求項８】
ＣＯＴ段階で電子的発行処理がされたＩＣカード用ＩＣモジュールであって、テープ状基材に配列したＩＣモジュールの、初期不良品およびＣＯＴ受入検査不良品に対しては、ＩＣカードの個人データについての発行処理がされていず、初期不良品およびＣＯＴ受入検査不良品を除く良品ＩＣモジュールには、発行処理がされており、かつ当該ＩＣモジュールチップの書き換え可能なメモリエリアにはＣＯＴ配列を特定する発行識別データが記録されていることを特徴とするＩＣカード用ＩＣモジュール。
【請求項９】
ＣＯＴ段階で電子的発行処理がされたＩＣカードであって、個々のＩＣモジュールのＩＣチップの実使用上は影響のない書き換え可能なメモリエリアには、ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データが、書き込まれている、ことを特徴とするＩＣカード。
【請求項１０】
ＣＯＴ段階で電子的発行処理がされたＩＣカードであって、個々のＩＣモジュールのＩＣチップの実使用上は影響のない書き換え可能なメモリエリアには、ＣＯＴ配列の個々のモジュールに対してあらかじめ付与されているユニーク番号との関係で、当該モジュールの検査・発行結果と、発行データファイル名と、発行データファイル内の序列と、が関連付けられた発行識別データが、書き込まれている、ことを特徴とするＩＣカード。
【発明の詳細な説明】
【技術分野】
【０００１】
この発明は、ＩＣカードの発行処理方法およびＩＣカード用ＩＣモジュール、ＩＣカードに関する。詳しくは、ＩＣカードの発行処理、特に電子的発行処理を、カードにＩＣモジュールを装着する前のＣＯＴ段階で行い、発行処理後に、当該ＩＣモジュールをＩＣカード基板に装着する方法等に関する。
【背景技術】
【０００２】
ＩＣカードは、機能形態からすると、接触式ＩＣカード、非接触式ＩＣカード、接触式・非接触式兼用ＩＣカード（２ｗａｙ、または一般にコンビカード、デュアルカード）、の種別がある。また、その用途向きから分類すると、クレジットカード、キャッシュカード等のように、一般には個人の財布等に収納され、必要時にのみ取り出して読み書き機器に挿入して使用するものと、携帯電話、衛星放送のデコーダ、ＥＴＣ用車載機器等に入れたままの状態で使用するもの等、さまざまな用途、使用方法がある。それぞれのその使用環境もさまざまである。
【０００３】
ところで、ＩＣカードは、例えば、クレジットカードがそうであるが、最終的には個人情報として、会員番号や個人の氏名、性別、暗証番号、利用金額の制限情報や、使用可能なアプリケーションの種類等、各個人によって異なる情報がＩＣチップ内部に書き込まれ、またその情報の一部が磁気データやエンボスデータとして記録され、また、カード表面に顔写真がプリントされるなどして、初めて実際に店舗等で使用できる状態となる。
【０００４】
一般に、共通アプリケーションプログラムのロードや、個人情報以外の共通データの格納、ファイルの作成等のある程度のロットのカードに共通した処理を行うことを１次発行、各個人で異なる個別情報を入れたり、アプリケーションの個別のカスタマイズを行う発行処理を２次発行と呼んでいる。
従来、テープ状ＩＣモジュール（以下、「ＣＯＴ」（Ｃｈｉｐ  Ｏｎ  Ｔａｐｅ）と表示する。）の状態であらかじめ共通情報を入れたり、共通アプリケーションをロードする等の１次発行を行う場合はあるものの、２次発行まで行うことはなく、後者は基本的にＩＣカード完成後に行われている。
【０００５】
従来のＩＣカードの発行処理、特に前述の接触式ＩＣカードと接触式・非接触式兼用ＩＣカードの場合は、ＩＣカード基板にＩＣモジュールを装着し、ほぼ、ＩＣカードが完成した段階で、ＩＣカードとして使用するために必要なデータの書き込み等を行って発行処理するのが通常であった。
本来的には、この発行処理手順によるのが、書き込みデータとＩＣカード本体とのとり違いが生じ難く、合理的とも考えられる。
しかし、書き込みデータ量の増加に伴い、従来工程を採用し難い問題が生じている。
【０００６】
ここで、従来の発行処理を、ＩＣカードの製造発行処理フローチャート（図４）を参照して説明することとする。
図４のように、まず、カード基体の製造を行う（Ｓ２１）。カード基体の製造は、印刷済のコアシートやオーバーシートを積層してプレスラミネートする周知の工程である。
次いで、当該カード基体に、ＩＣモジュールを装着するためのＣＯＴ部凹部形成を行う（Ｓ２２）。これらの工程と並行して、ＣＯＴの受入検査（Ｓ２３）とＣＯＴ背面への接着テープ貼込み（Ｓ２４）を行う。ＣＯＴの受入検査（Ｓ２３）でＩＣ発行の一部（１次発行）が行われる場合がある。
【０００７】
ＩＣカードの発行処理（Ｓ２６）は、ＣＯＴ実装（Ｓ２５）工程後に行われる。ＣＯＴ実装は、接着テープ貼込み済のＣＯＴをカード基体に掘削したＩＣモジュール装着用凹部内に嵌め込み、軽く熱圧をかけてＣＯＴを固定する工程である。この工程は、もちろん、ＣＯＴから個々のＩＣモジュールを打ち抜いてから行うものである。発行処理は、ＩＣチップに対する書き込み処理（ＩＣ発行）の他、カードの仕様により、文字エンボス、磁気エンコード、顔写真印刷、等が行われる。
発行処理は、ＩＣチップに対する書き込み処理（ＩＣ発行）を行う電子的発行処理と、文字エンボス、磁気エンコード、顔写真印刷、等を行う物理的発行処理と区別することができる。
【０００８】
ＣＯＴ段階で、ＩＣ発行の２次発行まで行われることがない理由として、ＣＯＴで個人情報までを含めた２次発行処理を行うと、ＣＯＴが打ち抜かれて、カードに実装された後に、個々のカードにどのような個別発行がされているのかを特定することが困難になることと、これが特定できないと、カード表面に追加の発行処理（例えば、エンボス、磁気エンコード、顔写真印刷等）を行うことが困難になることが挙げられる。
そのため、通常は、カード完成後に、ＩＣ発行を含め、その他一連の物理的発行処理を行うことになるが、特に、アプリケーションや格納データ量の増大によって近年のＩＣカードはＩＣ発行に非常に時間がかかる傾向にあり、カード完成後にＩＣ発行をしていては、受注から納入のリードタイムが短縮できないという課題が生じている。
【０００９】
ＩＣカードのＩＣ発行処理をＣＯＴ段階で行う先行技術は、特に検出されない。特許文献１は、ＩＣカードのメモリに記録済の情報を読み出しし、当該情報を検索キーとして他の媒体に記録された対応する情報を捜し出し、ＩＣカードに書き込みすることを提案しているが、ＩＣカード完成後に行うもので、本願とは目的を異にしている。
特許文献２は、不正発行を防止する技術に関するが、同様にＩＣカード完成後の発行処理に関するものである。
【００１０】
【特許文献１】特開平９−４４６１２号公報
【特許文献２】特開２００１−３５７３５８号公報
【発明の開示】
【発明が解決しようとする課題】
【００１１】
上述のように、近年のＩＣカードは、アプリケーションや格納データ量が増大し、ＩＣ発行に非常に時間がかかる傾向にある。すなわち、カード完成後にＩＣ発行をしていては、受注から納入のリードタイムを短縮できないという課題がある。
そこで、本発明は、受注から納入のリードタイムの一層の短縮を実現することを研究して本発明の完成に至ったものである。
【課題を解決するための手段】
【００１２】
上記課題を解決する本発明要旨の１は、ＣＯＴ段階で行うＩＣカードの発行処理方法であって、（１）ＩＣカードとして実使用するために必要なデータの書き込みやファイルの設定を、ＣＯＴ段階で個々のＩＣモジュールのＩＣチップに対して行う工程と、（２）ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データを生成する工程と、（３）前記モジュール特定ナンバーを、個々のＩＣモジュールのＩＣチップの実使用上は影響のない書き換え可能なメモリエリアに書き込む工程と、を有することを特徴とするＩＣカードの発行処理方法、にある。
【００１３】
上記課題を解決する本発明要旨の２は、ＣＯＴ段階で行うＩＣカードの発行処理方法であって、（１）ＩＣカードとして実使用するために必要なデータの書き込みやファイルの設定を、ＣＯＴ段階で個々のＩＣモジュールのＩＣチップに対して行う工程と、（２）ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データを生成する工程と、（３）前記発行識別データを個々のＩＣモジュールのＩＣチップの実使用上は影響のない書き換え可能なメモリエリアに書き込む工程と、を有することを特徴とするＩＣカードの発行処理方法、にある。
【００１４】
上記課題を解決する本発明要旨の３は、ＣＯＴ段階で行うＩＣカードの発行処理方法であって、（１）ＩＣカードとして実使用するために必要なデータの書き込みやファイルの設定を、ＣＯＴ段階で個々のＩＣモジュールのＩＣチップに対して行う工程と、（２）ＣＯＴ配列の個々のＩＣチップに対してあらかじめ付与されているユニーク番号との関係で、当該モジュールの検査・発行結果と、発行データファイル名と、発行データファイル内の序列と、が関連付けられた発行識別データを生成する工程と、を有することを特徴とするＩＣカードの発行処理方法、にある。
【００１５】
上記課題を解決する本発明要旨の４は、ＣＯＴ段階で行うＩＣカードの発行処理方法であって、（１）ＩＣカードとして実使用するために必要なデータの書き込みやファイルの設定を、ＣＯＴ段階で個々のＩＣモジュールのＩＣチップに対して行う工程と、（２）ＣＯＴ配列の個々のＩＣチップに対してあらかじめ付与されているユニーク番号との関係で、当該モジュールの検査・発行結果と、発行データファイル名と、発行データファイル内の序列と、が関連付けられた発行識別データを生成する工程と、（３）前記発行識別データを個々のＩＣモジュールのＩＣチップの実使用上は影響のない書き換え可能なメモリエリアに書き込む工程と、を有することを特徴とするＩＣカードの発行処理方法、にある。
【００１６】
上記課題を解決する本発明要旨の５は、ＣＯＴ段階で電子的発行処理がされたＩＣカード用ＩＣモジュールであって、個々のＩＣモジュールのＩＣチップの実使用上は影響のない書き換え可能なメモリエリアには、ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データが、書き込まれている、ことを特徴とするＩＣカード用ＩＣモジュール、にある。
【００１７】
上記課題を解決する本発明要旨の６は、ＣＯＴ段階で電子的発行処理がされたＩＣカード用ＩＣモジュールであって、個々のＩＣモジュールのＩＣチップの実使用上は影響のない書き換え可能なメモリエリアには、ＣＯＴ配列の個々のモジュールに対してあらかじめ付与されているユニーク番号との関係で、当該モジュールの検査・発行結果と、発行データファイル名と、発行データファイル内の序列と、が関連付けられた発行識別データが、書き込まれている、ことを特徴とするＩＣカード用ＩＣモジュール、にある。
【００１８】
上記課題を解決する本発明要旨の７は、ＣＯＴ段階で電子的発行処理がされたＩＣカード用ＩＣモジュールであって、テープ状基材に配列したＩＣモジュールの、初期不良品およびＣＯＴ受入検査不良品に対しては、ＩＣカードの個人データについての発行処理がされていず、初期不良品およびＣＯＴ受入検査不良品を除く良品ＩＣモジュールには、発行処理がされており、かつ当該ＩＣモジュールチップの書き換え可能なメモリエリアにはＣＯＴ配列を特定する発行識別データが記録されていることを特徴とするＩＣカード用ＩＣモジュール、にある。
【００１９】
上記課題を解決する本発明要旨の８は、ＣＯＴ段階で電子的発行処理がされたＩＣカードであって、個々のＩＣモジュールのＩＣチップの実使用上は影響のない書き換え可能なメモリエリアには、ＣＯＴ配列に対する個々のモジュールに対して定めるモジュール特定ナンバーとの関係で、当該モジュールの検査・発行結果と、発行データファイル名と、発行データファイル内の序列と、が関連付けられた発行識別データが、書き込まれている、ことを特徴とするＩＣカード、にある。
【００２０】
上記課題を解決する本発明要旨の９は、ＣＯＴ段階で電子的発行処理がされたＩＣカードであって、個々のＩＣモジュールのＩＣチップの実使用上は影響のない書き換え可能なメモリエリアには、ＣＯＴ配列の個々のモジュールに対してあらかじめ付与されているユニーク番号との関係で、当該モジュールの検査・発行結果と、発行データファイル名と、発行データファイル内の序列と、が関連付けられた発行識別データが、書き込まれている、ことを特徴とするＩＣカード、にある。
【発明の効果】
【００２１】
（１）本発明のＩＣカードの発行処理方法（請求項１〜請求項４）では、ＣＯＴ段階で、通常行われる受入れ検査としての電気的特性検査の工程中に、同時に必要なＩＣ発行の２次発行処理までを施すことが可能である。通常のカード単位での発行処理機では、カードの大きさの制限もあって、一度に処理できる枚数が、数枚から１０枚程度の範囲に制限されるが、ＣＯＴは、小さいスペースで大量のＩＣモジュールに一度にアクセス可能であることから、１６個、３２個、６４個またはこれ以上の数を一括処理単位で一度に発行処理を行うことができ、処理時間の大幅な短縮が可能となる。
【００２２】
（２）カードの製造工程とは無関係に、ＣＯＴの入荷後、ただちにＩＣ発行処理が可能となるため、ＩＣカード化後の処理作業時間の短縮化、ひいては製造出荷のリードタイムを大幅に削減することが可能となる。
このことは、今後の携帯電話等で使用増加が見込まれるＵＩＭ（Ｕｓｅｒ  Ｉｄｅｎｔｉｔｙ  Ｍｏｄｕｌｅ）や、これよりさらに小型化が進んだ新型小型ＵＩＭ（ミニサイズＵＩＭ）への使用等、カードサイズにこだわらない媒体への利用が増えるにつれ、カード状態以外の様々な形状の媒体での出荷に合わせて、ＣＯＴ実装以前に発行を完了しておくというニーズの増大に対応するものである。
【００２３】
（３）本発明のＩＣカード用ＩＣモジュール（請求項６、請求項７）は、ＩＣチップの書き換え可能なメモリエリアに、当該モジュールの検査・発行結果と、発行データファイル名と、発行データファイル内の序列と、が関連付けられた発行識別データが、書き込まれているので、エンボス加工等の後加工で間違いを生じることがない。
【００２４】
（４）本発明のＩＣカード用ＩＣモジュール（請求項６、請求項７）は、当該モジュールの検査・発行結果と、発行データファイル名と、発行データファイル内の序列と、が関連付けられた発行識別データが、ＩＣチップの実使用上影響のない書き換え可能なメモリエリア（例えば、ユーザーが自由に使えるメモリエリアや製造履歴情報エリア等）に書き込まれているので、ＣＯＴのカード実装工程や、その後の後処理工程において、間違いを生じることがない。また、書き込みデータは消去することが可能である。それにより、すでに必要がなくなった後の発行識別データが占有していたメモリ領域を、実使用時のユーザーエリアとして使用することも可能となる。
【００２５】
（５）本発明のＩＣカード用ＩＣモジュール（請求項８）は、初期不良品とＣＯＴ受入検査不良品には、発行処理がされていないので、検査不良品をカード基体に装着する間違いが生じない。
【００２６】
（６）本発明のＩＣカード（請求項９、請求項１０）は、ＩＣチップの書き換え可能なメモリエリアに、当該モジュールの検査・発行結果と、発行データファイル名と、発行データファイル内の序列と、が関連付けられた発行識別データが、書き込まれているので、エンボス加工等の後加工で間違いを生じることがない。また、不良品として回収した際にも履歴の特定が容易となる。
【発明を実施するための最良の形態】
【００２７】
以下、本発明のＩＣカードの発行処理方法、ＩＣカード用ＩＣモジュール、ＩＣカードについて説明する。
本発明のＩＣカードの発行処理方法は、接触式ＩＣカードおよび接触式・非接触式兼用ＩＣカード製造の際の発行処理、特に電子データの書き込み処理をＣＯＴ段階で行う特徴がある。この発行処理に際して、モジュール特定ナンバーを特別に生成してＩＣチップに書き込みする方法（請求項１、請求項２）と、ＩＣチップに本来的に記録されているユニーク番号を利用する方法（請求項３、請求項４）と、がある。
いずれも、製造工程自体には大きな違いは無いので、以下、フローチャートに基づいて説明する。
【００２８】
図１は、本発明によるＩＣカードの製造発行処理フローを示すチャートである。
図１のように、まず、カード基体の製造を行う（Ｓ１１）。カード基体の製造は、多面付けされた印刷コア層の表裏２層と、さらに必要があれば、その表裏の最表面に磁気テープを転写した透明オーバーシート層を積層し、熱圧をかけて基材を融着・一体化する。
その後、個々のカードサイズへの打ち抜きを行い、さらに必要に応じて、サインパネル、ホログラムラベル等の転写を行う。次いで、ＩＣモジュールを搭載するための、ＣＯＴ部凹部形成のザグリ加工を行う（Ｓ１２）。
【００２９】
Ｓ１１，Ｓ１２の工程に並行した別の工程では、ＣＯＴの受入検査およびＩＣ発行処理が行われる（Ｓ１３）。受入検査は主として、寸法、外観等の手作業的な検査と、専用の試験器を用いて行う電気的特性試験等、自動的に行われるものとがある。初期不良品を識別し、これを除くＣＯＴについて検査・発行を行う。ＣＯＴ検査で不良品と判定されたものには、所定の位置に不良マーク（穴あけ）が付けられる。
【００３０】
本発明のＩＣカードの発行処理方法（請求項１〜請求項４）の特徴は、ＣＯＴの受入検査と同時にＩＣ発行を行う点にある。ＩＣ発行とは、ＩＣカードとして実使用できるために必要なデータの書き込みとファイルの設定、アプリケーションのロードの全てを、ＣＯＴ段階で個々のＩＣチップに対して行うこと、であるが、それと同時に、個々の発行処理情報の配列と関連付けられた発行識別データを生成する。
【００３１】
この発行識別データは、ＣＯＴ配列を特定するためのモジュール特定ナンバーを生成して使用する場合と、あらかじめＩＣチップに対して付与されているユニーク番号を利用する場合と、がある。このモジュール特定ナンバーまたはユニーク番号と付属データをＩＣチップの実使用上において影響を与えない書き換え可能なメモリエリア（例えば、ユーザーが自由に使えるメモリエリアや製造履歴情報エリア等）に書き込みする場合（請求項２、請求項４）と、モジュール特定ナンバーのみを書き込みする場合（請求項１）とがある。この書き込みは、一時的なものとしてカード完成後に消去しても構わない。
なお、ファイルの設定とは、ファイルの作成やファイルで使用可能なメモリエリアをＩＣチップに確保すること等をいう。また、モジュール特定ナンバーの生成とは、発行処理情報の先頭から終端までのシリアル番号を機械的にＣＯＴ配列に割りあてていくことをいう。ただし、セキュリティ上の観点等から敢えて不規則な数（乱数等）を割り当てしてもよい。
【００３２】
本発明のＩＣカードの発行処理方法（請求項３）の特徴は、ＩＣチップにあらかじめ書き込まれているユニーク番号を利用し、このユニーク番号と生成したＣＯＴの発行識別データの関連付けをすることにある。従って、ＩＣチップのメモリエリアへの書き込み工程は不要となる。
なお、ＩＣチップには相互に重複することがないユニーク番号が書き込まれているのが通常である。
【００３３】
以上の工程後において、接着テープ貼込み（Ｓ１４）を行うのは、従来方法と同様である。この工程は、ＣＯＴ背面に接着テープまたは液状接着剤をラミネートまたはコーティングするか、カード基板の凹部側に接着剤を塗布しておく等して工程のことである。その後に、不良マークの付いていない、検査良品のＩＣモジュールのみを打ち抜き加工し、個片のＣＯＴを実装する（Ｓ１５）。
【００３４】
ＩＣカードの発行処理（Ｓ１６）は、ＣＯＴ実装工程の後に行われるが、従来の発行処理で行われていたＩＣ発行が、この発行処理では行われない。
この工程で行われる発行処理は物理的発行処理、すなわち、文字エンボス、磁気エンコード、顔写真印刷、等の工程であり、本来的にＩＣカード基板に対して行われる処理に限られる。なお、ＣＯＴ実装以降の工程と、それ以前の工程とは、別のラインで行うものであってもよい。
【００３５】
以上、本発明のＩＣカードの発行処理方法について概説したが、より具体的なイメージを描き易くするために図面および表を参照してさらに説明することとする。
図２は、受入時のＣＯＴを示す図、図３は、受入検査後のＣＯＴを示す図、である。
【００３６】
図２のように、ＣＯＴ１は、テープ状のガラスエポキシ等基材２の面にＩＣモジュール３が配列している。各ＩＣモジュール３は、基材２面に、接触端子板３ｔと裏面回路を形成し、当該接触端子板の背面にＩＣチップが装着され、ＩＣチップの各端子と裏面回路間がワイヤ接続されている。ＩＣチップおよびワイヤ接続部分は、樹脂モールドされていて損傷を受けないようにされている。
【００３７】
１個の接触端子板の大きさは、１３．０ｍｍ×１２．０ｍｍ程度にすることが多い。テープ基材２の厚みは、１００μｍ程度、樹脂モールド部の高さは、基材面から、４２０〜４５０μｍ程度であるから全体としては平面な材料である。
通常は、ＩＣモジュール３が２列に配列したテープ状にされている。２列の場合、幅は、３５ｍｍ程度である。接触端子板３ｔの形状は、図２の拡大図示部分のようなものとなる。図２の場合、番号の若い１，２の方が先頭側になり、先に打ち抜きされてＩＣカードに実装される。逆側は、供給リール軸に巻き付いている側となる。
【００３８】
２列のＩＣモジュールには、１，２，３，４，・・と個々のＣＯＴ毎にモジュール特定ナンバーが付されている。図上、上段のＩＣモジュールには、奇数番号が付され、下段のＩＣモジュールには偶数番号が付されているが、これに限定されるものではない。モジュール特定ナンバーの付け方も任意であるが、各製造ロットや種別、ＣＯＴ番号、製造日等を識別できるようにする。
【００３９】
図２の場合、モジュール特定ナンバー１０と１７のＣＯＴにハッチングが施されているのは、ＣＯＴの製造メーカーで不良品として検出されたＩＣモジュールであり、通常、穿孔されていて使用不可能であることが明確にされている。このようなＩＣモジュールは初期不良品と呼ばれている。
なお、ＩＣモジュールに付されるモジュール特定ナンバーは、実際に視認可能に表示されていることは必ずしも必要ではない。そのモジュール特定ナンバーがＩＣチップに記録され、当該モジュール特定ナンバーに対応するＩＣモジュールが特定できるように、付番順序が一定の基準で規則化されていればよいからである。
請求項３、請求項４の発明のように、ユニーク番号を利用する場合は、当該ユニーク番号により対応付けするので、モジュール特定ナンバーを付する必要もない。
【００４０】
図３は、受入検査後のＣＯＴを示す。この図では、モジュール特定ナンバー３と２２のＣＯＴが二重枠で囲まれている。これは、当該受入検査において、新たにＣＯＴの不良が検出されたものであることを示している。受入検査は、初期不良品を除いたＣＯＴについて行うが、製造メーカーとは異なる基準で検査を行うので、新たな不良品が発見される場合が生じる。これを検査不良品とする。検査不良に加えて書き込み失敗による発行不良も生じ、これらを合わせて、検査・発行不良品とする。検査・発行不良品についても所定位置に不良マーク（穴あけ）が付される。
【００４１】
ＣＯＴ受入検査後に、モジュール特定ナンバーと検査・発行結果、発行データファイル名、各発行データファイル内の序列とを関連付けた発行識別データの作成を行う。
表１は、発行識別データの作成例を示す表である。
【００４２】
【表１】
2005165699.tif 000003
【００４３】
上記表１の場合は、発行データファイルＡの先頭１から１０までの１０枚分を発行し、続いて発行データファイルＢの先頭１から６枚分を発行し、次いで、発行データファイルＣの先頭１から４枚発行した場合、を示している。
また、発行識別データは、最初から６桁目までがモジュール特定ナンバーを表示し、７桁目が検査・発行結果（初期不良を含む）識別子（０；ＯＫ、１；ＮＧ）を、８〜１０桁は、発行データファイル識別子（００１；ファイルＡ、００２；ファイルＢ、００３；ファイルＣ）を、表示している。
【００４４】
ただし、発行識別データは必ずしも、上記例のフォーマットをとる必要はなく、最低限、ＩＣモジュールを特定するデータと、発行ファイル名、発行ファイル内のデータ序列が特定できるデータが一義的に関連付けされていれば良い。
また、このとき個々のＩＣモジュールと発行識別データを紐付けるために、発行ＩＣモジュール特定ナンバーをＩＣチップの特定メモリエリアに書き込みする。
すでに、個々のＩＣモジュールに固有番号（シリアル番号でなくても良い。）が入っている場合は、ＩＣモジュール特定ナンバーの書き込みは不要である。
【００４５】
このＣＯＴ受入検査後に、ＩＣチップに上記電子データの書き込みをするＩＣ発行を行う。初期不良品と検査不良品については、ＩＣ発行処理を行わないので、表１のように、発行データファイルの先頭からの序列欄には記入されていない。
また、ＩＣモジュールに固有な番号（ユニーク番号）を利用する場合は、表１のモジュール特定ナンバーが、ユニーク番号に置換したものと考えればよい。ユニーク番号は各種の表記方法があって、統一されたものではないが、ＩＣチップ相互間に重複した番号は生じないようにされていると言われる。
表２は、ＩＣモジュール固有番号（ユニーク番号）を利用した場合であって、発行データファイルＡの先頭１から１０までの１０枚を発行した例を示している。
【００４６】
【表２】
2005165699.tif 000004
【００４７】
上記表２の発行識別データは、最初から５桁目までがモジュールナンバーを表示し、６〜８桁目が発行データファイル名、９〜１４桁は、発行データファイル内の序列、を表示している。
以下に、発行識別データとＣＯＴの各ＩＣモジュール単位毎の検査、発行処理結果を関連付けした＜発行データファイル＞を表示する（表３、表４、表５）。
＜発行データファイル＞は、あらかじめ、依頼元から提供されたデータを編集し、発行装置で発行可能な書式に変換したものである。
【００４８】
【表３】
2005165699.tif 000005
【００４９】
【表４】
2005165699.tif 000006
【００５０】
【表５】
2005165699.tif 000007
【００５１】
上記表３〜表５は、例として分かり易く表示したものであって、実際のデータは、氏名はアスキーコードまたは他のコードによって、他の番号、性別情報も適切なコード（１６進数等）に変換されて表示されている。
なお、＜発行識別データ＞をＩＣチップに書き込んでいる場合には、これをハードディスク、フロッピーディスク、ＭＯ等の別の記録媒体にあえて記録する必要はないが、発行の履歴情報の一部としてこれら記録媒体に記録させてもよい。
モジュールナンバーのみをＩＣチップに書き込む場合には、モジュールナンバーと発行データとの紐付け情報である＜発行識別データ＞を、ハードディスク、フロッピーディスク、ＭＯ等の記録媒体に記録することが必須である。
【００５２】
次に、ＣＯＴ実装発行機または後工程の発行処理機（文字エンボス、磁気エンコード、顔写真印刷等）は、上記＜発行識別データファイル＞と＜発行データファイルＡ＞＜発行データファイルＢ＞＜発行データファイルＣ＞の内容を、ハードディスク、フロッピーディスク、ＭＯ等から読み込みする。ただし、各発行データファイルは、通常、発行機で使用されるものと同じ形式のもので、本発明に特化したものではない。
ＣＯＴ実装発行機または後工程の発行処理機には、ＩＣチップメモリのデータ読み取り機が設置されており、前工程で書き込まれたモジュール特定ナンバーまたはＩＣチップにもともと書き込まれているユニーク番号を読み出しする。
【００５３】
＜発行識別データ＞のモジュール特定ナンバー（またはユニーク番号）に該当するＩＣモジュールを特定し、これに対応する発行処理データを＜発行データファイル＞から探索し、必要なデータを特定する。次いで、必要な発行処理（物理的発行処理）を行う。
【００５４】
＜発行データファイル＞には、表１または表２の配列情報に基づいて、ＩＣチップに記録する電子データの主な内容が記録されている。表３、表４、表５の場合、会員番号と利用者の氏名、性別のみが表示されている。
実際に必要な発行処理（物理的発行処理）を行う場合には、さらに詳細な発行マスタファイルが必要であり、これは機密情報として管理されているものである。
詳細発行マスタファイルには、例えば、会員氏名、住所、有効期限、発行年月日、取り扱い店舗コード、口座番号、顔写真データ等が記録されていてもよい。
したがって、＜発行データファイル＞はマスタファイルとリンクし、単に、マスタファイルを検索し呼び出すためのものとして使われるものである。
【００５５】
以上のようにすることで、例えば、ＣＯＴ検査機で、ＣＯＴ状態で必要な最終発行（２次発行）までを済ませ、かつ、個々の発行処理情報を特定可能であって、これと一義的に結び付くモジュール特定ナンバーを、ＩＣチップ内の書き換え可能なメモリエリアに一時的に書き込みし、両者のデータを関連付けして記録媒体に記録し、その後、文字エンボスや顔写真印刷、磁気エンコードへの追加記録、等が生じた場合に、当該記録媒体を使用し、ＩＣチップに書き込まれたモジュール特定ナンバーを読み出し、リンクする発行情報を特定し、追加すべき発行情報を探索することにより、後工程も含めて、間違いのない確実な個別情報発行処理（物理的発行処理）を実行できることになる。
【００５６】
上記発行識別データまたはＩＣモジュールに書き込まれたデータには、あくまでも発行処理の配列を特定するデータが入るだけであって、個人の属性データそのものは含まないため、取り扱い上、格段のセキュリティー性や個人情報保護の観点から特別な取り扱いを考慮する必要がなく、扱いが容易になる利点がある。
【００５７】
以上、ＩＣカードの発行処理方法を中心に本発明を説明したが、本発明のＩＣカード用ＩＣモジュールは、モジュール特定ナンバーまたはユニーク番号との関係で、当該モジュールの検査・発行結果と、発行データファイル名と、発行データファイル内の序列と、が関連付けられた発行識別データが、書き込まれている、ＩＣモジュールであることは、明らかである。また、本発明のＩＣカードは、それらのＩＣモジュールを実装してある状態のＩＣカードを意味するものである。
【００５８】
本発明の発行処理方法で発行するＩＣカードは、札入れサイズのＩＣカードに限らず、前述のように、携帯電話機等に使用するＵＩＭやＳＩＭ（Ｓｕｂｓｃｒｉｂｅｒｓ  Ｉｄｅｎｔｉｔｙ  Ｍｏｄｕｌｅ）を包含するものである。
【図面の簡単な説明】
【００５９】
【図１】ＩＣカードの製造発行処理フローを示すチャートである。
【図２】受入時のＣＯＴを示す図である。
【図３】受入検査後のＣＯＴを示す図である。
【図４】従来のＩＣカードの製造発行処理フローを示すチャートである。
【符号の説明】
【００６０】
１  ＣＯＴ
２  基材
３  ＩＣモジュール
【図１】
2005165699.tif 000008
【図２】
2005165699.tif 000009
【図３】
2005165699.tif 000010
【図４】
2005165699.tif 000011